(57)【要約】【課題】食器等の洗浄および乾燥を行う食器洗い機において、金属からなる洗浄槽部材の左右の前後位置ズレに対し、連結部材を用いることで、開口部をズレなく構成することができる食器洗い機を実現する。【解決手段】洗浄槽１７の開口部２４は、上面構成部材２０と、底部構成部材２１と、一対の連結部材２３とを構成部材としたことにより、金属からなる洗浄槽部材１９の左右の前後位置ズレに対し、連結部材２３を用いることで、開口部２４をズレなく構成することができる。【選択図】図２
2005296219.tif 000002
【特許請求の範囲】
【請求項１】
食器洗い機本体と、前記食器洗い機本体の内部に設け、前面に開口部を有する洗浄槽と、前記洗浄槽の上部を構成する上面構成部材と、前記洗浄槽の側面を構成する洗浄槽部材と、前記洗浄槽の底部を構成する底部構成部材と、前記洗浄槽部材の左右の外方側面に位置する一対の連結部材とを備え、前記洗浄槽の前記開口部は、前記上面構成部材と、前記底部構成部材と、前記一対の連結部材とを構成部材とした食器洗い機。
【請求項２】
洗浄槽の開口部を開閉自在に覆う扉体を備え、前記扉体を開閉する扉開閉機構は、前記開口部の組立て前に連結部材の上に一体化して組み立てた請求項１記載の食器洗い機。
【請求項３】
洗浄槽の開口部を開閉自在に覆う扉体を備え、連結部材は、前記扉体を前記洗浄槽の開口部に閉成状態に保持するロック機構部を有する請求項１記載の食器洗い機。
【請求項４】
洗浄槽部材の前端近傍に折曲部を形成し、前記洗浄槽部材の前記折曲部と連結部材とで形成した凹部にパッキンを収納した請求項１〜３のいずれか１項記載の食器洗い機。
【発明の詳細な説明】
【技術分野】
【０００１】
本発明は食器等の洗浄および乾燥を行う食器洗い機に関するものである。
【背景技術】
【０００２】
従来、この種の食器洗い機は、図３に示すように構成していた。以下、その構成について説明する。
【０００３】
図３、図４に示すように、食器類１を収容する洗浄槽２は、食器洗い機本体３内に配設され、樹脂製の底部構成部材４と、この底部構成部材４の上に設けた金属製（ステンレス）の洗浄槽部材５とで構成されている。前記洗浄槽２は、金属製の洗浄槽部材５の前方に開口部６を有し、この開口部６を扉７により開閉するとともに、樹脂製の底部構成部材４に洗浄水を噴射する洗浄ノズル８を回転自在に配設しており、洗浄槽２内に食器類１を収容する食器かご９を配置している。金属製の洗浄槽部材５はユーザーが製品使用時に目に付く側壁面を構成し、また、上面も同じ金属を使用し、溶接等で接合している。
【０００４】
また、洗浄槽２は、樹脂製の底部構成部材４の上方より、金属製の洗浄槽部材５を挿着し、上下の抜け方向に規制した結合構成としている。
【０００５】
洗浄槽部材５はプレス加工後曲げ加工によりコの字型に成型され、前方左右には、扉７の閉成状態で水密性を有するパッキン１０がパッキン取付け部材１１を洗浄槽部材５内方にスポット溶接されることで、凹部を構成し挿入されている。また、扉７は支持部材１２が固定され、洗浄槽部材５の外方に配設された連結部材１３に固定枢軸１４で回転自在に軸支している。連結部材１３は上方で食器洗い機本体３と、下方で底部構成部材４とに固定され、洗浄槽部材５とは締結せずに、上下方向に洗浄槽部材５を底部構成部材４から外れるのを防止している（例えば、特許文献１参照）。
【０００６】
また、洗浄槽部材５の左右外方にはそれぞれ扉７を閉成状態に保持するロック機構を有したロック機構部材１５を備えている。（例えば、特許文献２参照）。
【０００７】
食器洗い機の基本的な動作は、一般的によく知られているので、以下に簡単に述べると、使用者が扉体７を開放し、洗浄槽２に配置された食器かご９に汚れた食器類１をセットする。つぎに、扉７を閉め、運転を開始すると、洗浄槽２の底部に配置されたヒータ（図示なし）によって洗浄水を加熱しながら、洗浄ノズル８から食器類１に向かって噴射し、食器類１の汚れを落とす洗浄行程を行う。その後、食器類１をすすいだ後、乾燥行程を行って運転を終了する。
【特許文献１】特開２０００−２９６０９３号公報
【特許文献２】特開２００３−１７４９９２号公報
【発明の開示】
【発明が解決しようとする課題】
【０００８】
しかしながら、このような従来の構成では、開口部６の側面を構成する洗浄槽部材５は、金属製であり、曲げ加工により成型されるため、左右で前後に位置ズレが起こりやすく、高い加工精度が要求され、生産性が悪いという問題を有していた。
【０００９】
また、左右の前後ズレを起こした場合、扉７とパッキン１０とのシール面がズレ、水密性が低下する。また、連結部材１３と扉７の開閉動作が悪くなるという課題を有していた。
【００１０】
また、パッキン取付け部材１１は生産性を向上するため、数点のスポット溶接で洗浄槽２に一体化させているが、スポット溶接間にはパッキン取付け部材１１と、洗浄槽部材５に隙間が生じ易く、この隙間の水密性を向上するため、パッキン１０の形状に高い水密性が要求されるという課題を有していた。
【００１１】
また、ロック機構部材１５は洗浄槽部材５に固定されるため、複数個に分割された扉７を連動させて開閉動作を行う場合、連結部材１３との左右ズレに合わせてロック機構の動作が変化するため、操作性が著しく低下するという課題を有していた。
【００１２】
本発明は、上記従来の課題を解決するもので、金属からなる洗浄槽部材の左右の前後位置ズレに対し、連結部材を用いることで、開口部をズレなく構成することを目的としている。
【課題を解決するための手段】
【００１３】
本発明は上記目的を達成するために、食器洗い機本体と、前記食器洗い機本体の内部に設け、前面に開口部を有する洗浄槽と、前記洗浄槽の上部を構成する上面構成部材と、前記洗浄槽の側面を構成する洗浄槽部材と、前記洗浄槽の底部を構成する底部構成部材と、前記洗浄槽部材の左右の外方側面に位置する一対の連結部材とを備え、前記洗浄槽の前記開口部は、前記上面構成部材と、前記底部構成部材と、前記一対の連結部材とを構成部材としたものである。
【００１４】
これにより、金属からなる洗浄槽部材の左右の前後位置ズレに対し、連結部材を用いることで、開口部をズレなく構成するものである。
【発明の効果】
【００１５】
本発明によれば、食器洗い機本体と、前記食器洗い機本体の内部に設け、前面に開口部を有する洗浄槽と、前記洗浄槽の上部を構成する上面構成部材と、前記洗浄槽の側面を構成する洗浄槽部材と、前記洗浄槽の底部を構成する底部構成部材と、前記洗浄槽部材の左右の外方側面に位置する一対の連結部材とを備え、前記洗浄槽の前記開口部は、前記上面構成部材と、前記底部構成部材と、前記一対の連結部材とを構成部材としたから、金属からなる洗浄槽部材の左右の前後位置ズレに対し、連結部材を用いることで、開口部をズレなく構成することができる。
【発明を実施するための最良の形態】
【００１６】
第１の発明は、食器洗い機本体と、前記食器洗い機本体の内部に設け、前面に開口部を有する洗浄槽と、前記洗浄槽の上部を構成する上面構成部材と、前記洗浄槽の側面を構成する洗浄槽部材と、前記洗浄槽の底部を構成する底部構成部材と、前記洗浄槽部材の左右の外方側面に位置する一対の連結部材とを備え、前記洗浄槽の前記開口部は、前記上面構成部材と、前記底部構成部材と、前記一対の連結部材とを構成部材としたことにより、金属からなる洗浄槽部材の左右の前後位置ズレに対し、連結部材を用いることで、開口部をズレなく構成することができる。
【００１７】
第２の発明は、洗浄槽の開口部を開閉自在に覆う扉体を備え、前記扉体を開閉する扉開閉機構は、前記開口部の組立て前に連結部材の上に一体化して組み立てたことにより、洗浄槽部材の出来上がりによることなく、扉体と開口部の水密性、開閉動作を容易に安定させることができる。
【００１８】
第３の発明は、洗浄槽の開口部を開閉自在に覆う扉体を備え、連結部材は、前記扉体を前記洗浄槽の開口部に閉成状態に保持するロック機構部を有することにより、洗浄槽部材の出来上がりによることなく、容易に扉体と、開口部の嵌合を合わせた状態で保持することができる。
【００１９】
第４の発明は、洗浄槽部材の前端近傍に折曲部を形成し、前記洗浄槽部材の前記折曲部と連結部材とで形成した凹部にパッキンを収納したことにより、パッキン保持部の水密性が向上し、パッキンの構成を簡易化することができる。
【００２０】
以下、本発明の実施の形態について、図面を参照しながら説明する。なお、この実施の形態によって本発明が限定されるものではない。
【００２１】
（実施の形態１）
図１に示すように、洗浄槽１７は、食器洗い機本体１８の内部に設け、側面を構成するステンレス鋼板などの金属製の洗浄槽部材１９と、洗浄槽部材１９の上部を構成する樹脂製の上面構成部材２０と、底部を構成する樹脂製の底部構成部材２１とで構成している。
【００２２】
また、洗浄槽部材１９はプレス加工後曲げ加工によりコの字型に成型され、左右の外方側面に略板形状で構成した連結部材２３を配設している。連結部材２３は上部を上面構成部材２０と前後方向に遊びを設けた状態で側方からビス締結している。また、下部を底部構成部材２１と側方からビス締結している。また、洗浄槽部材１９と、前後方向に遊びを設けた状態で洗浄槽１７の内部からビス締結している。
【００２３】
また、洗浄槽１７は、洗浄槽部材１９の前方に開口部２４を有し、洗浄槽部材１９の左右の外方側面に設けられた樹脂製の連結部材２３と上面構成部材２０と底部構成部材２１とで開口部２４を構成するとともに、樹脂製の底部構成部材２１に洗浄水を噴射する洗浄ノズル２５を回転自在に配設しており、洗浄槽１７内に食器類１を収容する食器かご２６を配置している。
【００２４】
また、開口部２４は上扉体２７と下扉体２８により開閉するよう構成し、上扉体２７に上支持部材２９を固定し、この上支持部材２９を上固定枢軸３０で連結部材２３に回転自在に軸支している。また、下扉体２８に下支持部材３１を固定し、下固定枢軸４０で連結部材２３に回転自在に軸支している。
【００２５】
また、連結部材２３にロック機構３２を一体的に形成し、下扉体２８には押しボタンスイッチ３３と下扉体２８を閉塞状態に固定するロック手段３４を設け、押しボタンスイッチ３３と連動して、ロック機構３２からロック手段３４を解除できるようにしている。また、上扉体２７は下扉体２８により閉塞状態で固定される。
【００２６】
また、図２に示すように、上扉体２７および下扉体２８と開口部２４をシールするパッキン３５には弾性体を有するシール部材を設置し、パッキン３５は、洗浄槽部材１９の前端近傍に折曲部３６を形成し、洗浄槽部材１９の折曲部３６と連結部材２３とで形成したパッキン保持部３７である凹部に収納されている。
【００２７】
上記の構成において作用を説明すると、ステンレス鋼板などの金属からなる洗浄槽部材１９はプレス加工後曲げ加工によりコの字型に成型される際に、左右の前後位置がズレやすい。このズレに対し、連結部材２３と洗浄槽部材１９の前後方向の遊びがズレを吸収しつつ、開口部２４を樹脂製からなる部品で構成しているため、ズレを吸収することができる。
【００２８】
また、連結部材２３に上扉体２７と下扉体２８を支持する上固定枢軸３０と下固定枢軸４０を設けているため、扉体（上扉体２７と下扉体２８）と開口部２４の位置関係が連結部材２３の成型誤差のみとなり、洗浄槽部材１９の出来上がりによることなく、扉体（上扉体２７と下扉体２８）と開口部２４の開閉動作を容易に安定させることができる。
【００２９】
また、連結部材２３に下扉体２８をロックするロック機構３２を設けているため、扉体（上扉体２７と下扉体２８）と開口部２４、ロック機構３２が連結部材２３の成型誤差のみとなり、洗浄槽部材１９の出来上がりによることなく、容易に扉体（上扉体２７と下扉体２８）と、開口部２４の嵌合を合わせた状態で保持することができる。
【００３０】
また、洗浄槽部材１９の前端近傍に折曲部３６を形成し、洗浄槽部材１９の折曲部３６と連結部材２３とで形成したパッキン保持部３７に収納されているため、洗浄ノズル２５により噴射された洗浄水が折曲部３６により完全に遮断するためパッキン保持部３７の水密性が向上し、パッキン３５は連結部材２３に当接する面のシールが不要となり、パッキン３５の構成を簡易化することができる。
【００３１】
このように本実施例によれば、食器洗い機本体と、前記食器洗い機本体の内部に設け、前面に開口部を有する洗浄槽と、前記洗浄槽の上部を構成する上面構成部材と、前記洗浄槽の側面を構成する洗浄槽部材と、前記洗浄槽の底部を構成する底部構成部材と、前記洗浄槽部材の左右の外方側面に位置する一対の連結部材とを備え、前記洗浄槽の前記開口部は、前記上面構成部材と、前記底部構成部材と、前記一対の連結部材とを構成部材としたことにより、金属からなる洗浄槽部材の左右の前後位置ズレに対し、連結部材を用いることで、開口部をズレなく構成することができる。
【００３２】
また、洗浄槽の開口部を開閉自在に覆う扉体を備え、前記扉体を開閉する扉開閉機構は、前記開口部の組立て前に連結部材の上に一体化して組み立てたことにより、洗浄槽部材の出来上がりによることなく、扉体と開口部の水密性、開閉動作を容易に安定させることができる。
【００３３】
また、洗浄槽の開口部を開閉自在に覆う扉体を備え、連結部材は、前記扉体を前記洗浄槽の開口部に閉成状態に保持するロック機構部を有することにより、洗浄槽部材の出来上がりによることなく、容易に扉体と、開口部の嵌合を合わせた状態で保持することができる。
【００３４】
また、洗浄槽部材の前端近傍に折曲部を形成し、前記洗浄槽部材の前記折曲部と連結部材とで形成した凹部にパッキンを収納したことにより、パッキン保持部の水密性が向上し、パッキンの構成を簡易化するができる。
【産業上の利用可能性】
【００３５】
以上のように、本発明にかかる食器洗い機は、洗浄槽の開口部をズレなく構成することが可能となるので、食器等の洗浄および乾燥を行う食器洗い機等として有用である。
【図面の簡単な説明】
【００３６】
【図１】本発明の実施の形態１の食器洗い機の側断面図
【図２】同食器洗い機の扉体シール部の要部断面図
【図３】従来の食器洗い機の側断面図
【図４】同食器洗い機の扉体シール部の要部断面図
【符号の説明】
【００３７】
１７  洗浄槽
１８  食器洗い機本体
１９  洗浄槽部材
２０  上面構成部材
２１  底部構成部材
２３  連結部材
２４  開口部
２７  上扉体（扉体）
２８  下扉体（扉体）
【図１】
2005296219.tif 000003
【図２】
2005296219.tif 000004
【図３】
2005296219.tif 000005
【図４】
2005296219.tif 000006